(57)【要約】【課題】互いに逆位相となる音信号を出力する装置の使い勝手を良くする。【解決手段】出力制御装置は、Ｌ信号とＲ信号とを有するステレオの音信号を受け取る受取部と、ステレオの音信号をモノラルの音信号に変換する変換部と、モノラルの音信号とは逆位相の逆位相音信号を生成する生成部と、モノラルの音信号を用いて第１スピーカを駆動しかつ逆位相音信号を用いて第２スピーカを駆動する第１動作と、Ｌ信号とＲ信号のうちの一方を用いて第１スピーカを駆動しかつＬ信号とＲ信号のうちの他方を用いて第２スピーカを駆動する第２動作とを、択一的に実行する駆動制御部と、を含む。【選択図】図１
2018088571.tif 000002
【特許請求の範囲】
【請求項１】
Ｌ信号とＲ信号とを有するステレオの音信号を受け取る受取部と、
前記ステレオの音信号をモノラルの音信号に変換する変換部と、
前記モノラルの音信号とは逆位相の逆位相音信号を生成する生成部と、
前記モノラルの音信号を用いて第１スピーカを駆動しかつ前記逆位相音信号を用いて第２スピーカを駆動する第１動作と、前記Ｌ信号と前記Ｒ信号のうちの一方を用いて前記第１スピーカを駆動しかつ前記Ｌ信号と前記Ｒ信号のうちの他方を用いて前記第２スピーカを駆動する第２動作とを、択一的に実行する駆動制御部と、を含むことを特徴とする出力制御装置。
【請求項２】
モノラルの音信号を受け取る受取部と、
前記モノラルの音信号とは逆位相の逆位相音信号を生成する生成部と、
前記逆位相音信号を用いて第１スピーカを駆動しかつ前記モノラルの音信号を用いて第２スピーカを駆動する第１動作と、前記モノラルの音信号を用いて前記第１スピーカおよび前記第２スピーカを駆動する第２動作とを、択一的に実行する駆動制御部と、を含むことを特徴とする出力制御装置。
【請求項３】
前記第１スピーカと前記第２スピーカは車室内の複数の座席に設けられており、
前記駆動制御部は、前記座席ごとに、前記第１動作と前記第２動作とを択一的に実行することを特徴とする請求項１または２記載の出力制御装置。
【請求項４】
前記駆動制御部は、音信号の出力を制御する制御信号に応じて、前記第１動作と前記第２動作とを択一的に実行することを特徴とする請求項１から３のいずれか１項に記載の出力制御装置。
【請求項５】
Ｌ信号とＲ信号とを有するステレオの音信号を受け取り、
前記ステレオの音信号をモノラルの音信号に変換し、
前記モノラルの音信号とは逆位相の逆位相音信号を生成し、
前記モノラルの音信号を用いて第１スピーカを駆動しかつ前記逆位相音信号を用いて第２スピーカを駆動する第１動作と、前記Ｌ信号と前記Ｒ信号との一方を用いて前記第１スピーカを駆動しかつ前記Ｌ信号と前記Ｒ信号との他方を用いて前記第２スピーカを駆動する第２動作とを、択一的に実行することを特徴とする出力制御方法。
【請求項６】
モノラルの音信号を受け取り、
前記モノラルの音信号とは逆位相の逆位相音信号を生成し、
前記逆位相音信号を用いて第１スピーカを駆動しかつ前記モノラルの音信号を用いて第２スピーカを駆動する第１動作と、前記モノラルの音信号を用いて前記第１スピーカおよび前記第２スピーカを駆動する第２動作とを、択一的に実行することを特徴とする出力制御方法。
【発明の詳細な説明】
【技術分野】
【０００１】
本発明は、音信号の出力を制御する技術に関する。
【背景技術】
【０００２】
特許文献１には、座席のヘッドレストに等圧プッシュプルシステムのスピーカが配置された音響装置が記載されている。等圧プッシュプルシステムのスピーカでは、一方のスピーカに供給される電気信号とは逆相（位相が１８０度ずれた関係）の電気信号が、他方のスピーカに供給される。
【先行技術文献】
【特許文献】
【０００３】
【特許文献１】特許第４２６４０６８号公報
【発明の概要】
【発明が解決しようとする課題】
【０００４】
特許文献１に記載の音響装置は、２つのスピーカから互いに逆位相となる音しか出力できない。このため、使用者は、互いに逆相とならない音（例えば、ステレオの音等）を聞くためには別の音響機器を用いる必要があり、使い勝手の点で問題があった。
【０００５】
本発明は上述した事情に鑑みてなされたものであり、互いに逆位相となる音信号を出力する装置の使い勝手を良くすることを解決課題とする。
【課題を解決するための手段】
【０００６】
本発明の出力制御装置の一態様は、Ｌ信号とＲ信号とを有するステレオの音信号を受け取る受取部と、前記ステレオの音信号をモノラルの音信号に変換する変換部と、前記モノラルの音信号とは逆位相の逆位相音信号を生成する生成部と、前記モノラルの音信号を用いて第１スピーカを駆動しかつ前記逆位相音信号を用いて第２スピーカを駆動する第１動作と、前記Ｌ信号と前記Ｒ信号のうちの一方を用いて前記第１スピーカを駆動しかつ前記Ｌ信号と前記Ｒ信号のうちの他方を用いて前記第２スピーカを駆動する第２動作とを、択一的に実行する駆動制御部と、を含むことを特徴とする。
【０００７】
本発明の出力制御装置の他の態様は、モノラルの音信号を受け取る受取部と、前記モノラルの音信号とは逆位相の逆位相音信号を生成する生成部と、前記逆位相音信号を用いて第１スピーカを駆動しかつ前記モノラルの音信号を用いて第２スピーカを駆動する第１動作と、前記モノラルの音信号を用いて前記第１スピーカおよび前記第２スピーカを駆動する第２動作とを、択一的に実行する駆動制御部と、を含むことを特徴とする。
【０００８】
本発明の出力制御方法の一態様は、Ｌ信号とＲ信号とを有するステレオの音信号を受け取り、前記ステレオの音信号をモノラルの音信号に変換し、前記モノラルの音信号とは逆位相の逆位相音信号を生成し、前記モノラルの音信号を用いて第１スピーカを駆動しかつ前記逆位相音信号を用いて第２スピーカを駆動する第１動作と、前記Ｌ信号と前記Ｒ信号との一方を用いて前記第１スピーカを駆動しかつ前記Ｌ信号と前記Ｒ信号との他方を用いて前記第２スピーカを駆動する第２動作とを、択一的に実行することを特徴とする。
【０００９】
本発明の出力制御方法の他の態様は、モノラルの音信号を受け取り、前記モノラルの音信号とは逆位相の逆位相音信号を生成し、前記逆位相音信号を用いて第１スピーカを駆動しかつ前記モノラルの音信号を用いて第２スピーカを駆動する第１動作と、前記モノラルの音信号を用いて前記第１スピーカおよび前記第２スピーカを駆動する第２動作とを、択一的に実行することを特徴とする。
【図面の簡単な説明】
【００１０】
【図１】本発明の第１実施形態に係る出力制御装置１００を示した図である。
【図２】駆動制御部２０の一例を示した図である。
【図３】逆相の関係にある第１音と第２音を説明するための図である。
【図４】地点Ａ１での第１音と第２音のレベルを示した図である。
【図５】地点Ｂ１での第１音と第２音のレベルを示した図である。
【図６】第１音と第２音が同相の関係である場合のマイクＭＡの出力からマイクＭＢの出力を差し引いた値を示した図である。
【図７】第１音と第２音が逆相の関係である場合のマイクＭＡの出力からマイクＭＢの出力を差し引いた値を示した図である。
【図８】マイクＭＡとマイクＭＢの位置を説明するための図である。
【図９】出力制御装置１００の動作を説明するためのフローチャートである。
【図１０】複数の座席のスピーカの駆動を指定する制御信号Ｃ１〜Ｃ６の例を示した図である。
【発明を実施するための形態】
【００１１】
以下、図面を参照しながら本発明に係る実施の形態を説明する。なお、図面において各部の寸法および縮尺は実際のものと適宜異なる。また、以下に記載する実施の形態は、本発明の好適な具体例である。このため、本実施形態には、技術的に好ましい種々の限定が付されている。しかしながら、本発明の範囲は、以下の説明において特に本発明を限定する旨の記載がない限り、これらの形態に限られるものではない。
【００１２】
＜第１実施形態＞
図１は、本発明の第１実施形態に係る出力制御装置１００を示した図である。出力制御装置１００は、例えば、自動車等の車両の車室Ｒにおいて出力される音を制御できる。車室Ｒには、矩形に配置された４つの座席５１〜５４と、操作部６が配置されている。
【００１３】
座席５１は運転席、座席５２は助手席、座席５３は後部右座席、座席５４は後部左座席である。座席５１〜５４は、共通の方向を向いている。座席５１はヘッドレスト５１ａを備え、座席５２はヘッドレスト５２ａを備え、座席５３はヘッドレスト５３ａを備え、座席５４はヘッドレスト５４ａを備えている。
【００１４】
ヘッドレスト５１ａには、スピーカ１ａとスピーカ１ｂが設けられている。スピーカ１ａは第１スピーカの一例であり、スピーカ１ｂは第２スピーカの一例である。スピーカ１ａは、使用者Ｕが座席５１に座った際に使用者Ｕの左耳Ｕ１側に位置するように配置されている。スピーカ１ｂは、使用者Ｕが座席５１に座った際に使用者Ｕの右耳Ｕ２側に位置するように配置されている。
ヘッドレスト５２ａにはスピーカ２ａとスピーカ２ｂが設けられ、ヘッドレスト５３ａにはスピーカ３ａとスピーカ３ｂが設けられ、ヘッドレスト５４ａにはスピーカ４ａとスピーカ４ｂが設けられている。スピーカ２ａ、３ａおよび４ａは第１スピーカの一例であり、スピーカ２ｂ、３ｂおよび４ｂは第２スピーカの一例である。スピーカ２ａ、３ａおよび４ａは、スピーカ１ａと同様に、対応する座席に使用者が座った際に使用者の左耳側に位置するように配置されている。スピーカ２ｂ、３ｂおよび４ｂは、スピーカ１ｂと同様に、対応する座席に使用者が座った際に使用者の右耳側に位置するように配置されている。
【００１５】
操作部６は、例えばタッチパネルまたは操作ボタンであり使用者によって操作される。操作部６は、使用者の操作に応じて制御信号Ｃを出力する。制御信号Ｃは、出力制御装置１００を制御する信号、さらに言えば、音信号の出力を制御する信号である。
【００１６】
出力制御装置１００は、通知音信号受取部１１と、逆相信号生成部１２と、ステレオ信号受取部１３と、モノラル変換部１４と、逆相信号生成部１５と、ステレオ信号受取部１６と、モノラル変換部１７と、逆相信号生成部１８と、制御信号受取部１９と、駆動制御部２０と、を含んで構成されている。逆相信号生成部１２とモノラル変換部１４と逆相信号生成部１５とモノラル変換部１７と逆相信号生成部１８は、実行部２１に含まれる。
【００１７】
通知音信号受取部１１は、外部の通知音信号生成装置が生成した、警告音等の通知音に応じた通知音信号（通知音の音信号）Ｉを受け取る。通知音信号受取部１１は受取部の一例である。通知音信号はモノラルの音信号である。逆相信号生成部１２は、通知音信号Ｉとは逆位相の逆相信号Ｉｒを生成する。逆相信号Ｉｒは逆位相音信号の一例である。
【００１８】
ステレオ信号受取部１３は、外部の車載オーディオ装置等が再生したステレオ音楽の音信号であるＬ信号Ｌ１とＲ信号Ｒ１とを含むステレオ信号ＳＴ１を受け取る。ステレオ信号受取部１３は、Ｌ信号Ｌ１を受け取るＬ信号受取部１３ａと、Ｒ信号Ｒ１を受け取るＲ信号受取部１３ｂと、を含む。ステレオ信号受取部１３は受取部の一例である。モノラル変換部１４は、変換部の一例であり、ステレオ信号ＳＴ１をモノラル信号Ｍ１に変換する。モノラル信号Ｍ１はモノラルの音信号の一例である。逆相信号生成部１５は、生成部の一例であり、モノラル信号Ｍ１とは逆位相の逆相信号Ｍ１ｒを生成する。逆相信号Ｍ１ｒは逆位相音信号の一例である。
【００１９】
ステレオ信号受取部１６は、外部の車載オーディオ装置等が再生したステレオ音楽の音信号であるステレオ信号ＳＴ２を受け取る。ステレオ信号受取部１６は、Ｌ信号受取部１６ａでステレオ信号ＳＴ２のＬ信号Ｌ２を受け取り、Ｒ信号受取部１６ｂでステレオ信号ＳＴ２のＲ信号Ｒ２を受け取る。ステレオ信号受取部１６は受取部の他の例である。モノラル変換部１７は、変換部の他の例であり、ステレオ信号ＳＴ２をモノラル信号Ｍ２に変換する。モノラル信号Ｍ２はモノラルの音信号の他の例である。逆相信号生成部１８は、生成部の他の例であり、モノラル信号Ｍ２とは逆位相の逆相信号Ｍ２ｒを生成する。逆相信号Ｍ２ｒは逆位相音信号の他の例である。
【００２０】
制御信号受取部１９は、操作部６から制御信号Ｃを受け取る。
駆動制御部２０は、通知音信号Ｉと、逆相信号Ｉｒと、モノラル信号Ｍ１と、逆相信号Ｍ１ｒと、Ｌ信号Ｌ１と、Ｒ信号Ｒ１と、モノラル信号Ｍ２と、逆相信号Ｍ２ｒと、Ｌ信号Ｌ２と、Ｒ信号Ｒ２とを選択的に用いてスピーカ１ａ〜４ａおよびスピーカ１ｂ〜４ｂの駆動を制御する。
【００２１】
図２は、駆動制御部２０の一例を示した図である。駆動制御部２０は、分配部２０ａと記憶部２０ｂと制御部２０ｃとを含む。
分配部２０ａは、スピーカ１ａ〜４ａおよびスピーカ１ｂ〜４ｂに、通知音信号Ｉと逆相信号Ｉｒとモノラル信号Ｍ１と逆相信号Ｍ１ｒとＬ信号Ｌ１とＲ信号Ｒ１とモノラル信号Ｍ２と逆相信号Ｍ２ｒとＬ信号Ｌ２とＲ信号Ｒ２とのいずれかを個別に分配する。分配部２０ａは、音信号群生成部２０ａ１とマルチプレクサ２０ａ２〜２０ａ９とを含む。
【００２２】
音信号群生成部２０ａ１は、通知音信号Ｉと逆相信号Ｉｒとモノラル信号Ｍ１と逆相信号Ｍ１ｒとＬ信号Ｌ１とＲ信号Ｒ１とモノラル信号Ｍ２と逆相信号Ｍ２ｒとＬ信号Ｌ２とＲ信号Ｒ２から、音信号群Ｓ１と音信号群Ｓ２とを生成する。音信号群Ｓ１は、通知音信号Ｉと逆相信号Ｉｒとモノラル信号Ｍ１とＬ信号Ｌ１とモノラル信号Ｍ２とＬ信号Ｌ２によって構成され、音信号群Ｓ２は、通知音信号Ｉと逆相信号Ｍ１ｒとＲ信号Ｒ１と逆相信号Ｍ２ｒとＲ信号Ｒ２によって構成される。音信号群生成部２０ａ１は、音信号群Ｓ１をマルチプレクサ２０ａ２、２０ａ４、２０ａ６および２０ａ８に供給し、音信号群Ｓ２をマルチプレクサ２０ａ３、２０ａ５、２０ａ７および２０ａ９に供給する。
【００２３】
マルチプレクサ２０ａ２は、音信号群Ｓ１に含まれる信号のいずれかをスピーカ１ａに出力する。マルチプレクサ２０ａ４、２０ａ６および２０ａ８は、マルチプレクサ２０ａ２と同一構成であり、マルチプレクサ２０ａ２と同様に動作する。マルチプレクサ２０ａ３は、音信号群Ｓ２に含まれる信号のいずれかをスピーカ１ｂに出力する。マルチプレクサ２０ａ５、２０ａ７および２０ａ９は、マルチプレクサ２０ａ２と同一構成であり、マルチプレクサ２０ａ３と同様に動作する。
【００２４】
記憶部２０ｂは、例えば、半導体記録媒体、磁気式記録媒体または光学式記録媒体等の公知の任意の形式の記録媒体、または、これらの記録媒体が組み合わされた記録媒体である。なお、本明細書中において、「非一過性」の記録媒体は、一過性の伝搬信号（transitory, propagating signal）を一時的に記憶する伝送線等の記録媒体を除く全てのコンピュータ読み取り可能な記録媒体を含み、揮発性の記録媒体を除外するものではない。記憶部２０ｂは、制御部２０ｃの動作を規定するプログラムを記憶する。
【００２５】
制御部２０ｃは、例えば、ＣＰＵ（Central Processing Unit）等のコンピュータである。制御部２０ｃは、記憶部２０ｂに記憶されたプログラムを読み取り実行してマルチプレクサ２０ａ２〜２０ａ９を制御する。
例えば、制御部２０ｃは、制御信号Ｃに応じてマルチプレクサ２０ａ２〜２０ａ９を制御して、１つのヘッドレストに設けられている２つのスピーカの一方のスピーカを逆相信号Ｉｒで駆動しかつ他方のスピーカを通知音信号Ｉで駆動する通知音逆相出力動作と、通知音信号Ｉで該２つのスピーカを駆動する通知音同相出力動作とを、択一的に実行する。通知音逆相出力動作は第１動作の一例であり、通知音同相出力動作は第２動作の一例である。
また、制御部２０ｃは、制御信号Ｃに応じてマルチプレクサ２０ａ２〜２０ａ９を制御して、該一方のスピーカをモノラル信号Ｍ１で駆動しかつ該他方のスピーカを逆相信号Ｍ１ｒで駆動するモノラル逆相出力動作と、該一方のスピーカをＬ信号Ｌ１で駆動しかつ該他方のスピーカをＲ信号Ｒ１で駆動するステレオ出力動作とを、択一的に実行する。モノラル逆相出力動作は、第１動作の一例であり、ステレオ出力動作は第２動作の一例である。
また、制御部２０ｃは、モノラル逆位相出力動作においてモノラル信号Ｍ１の代わりにモノラル信号Ｍ２を用い逆相信号Ｍ１ｒの代わりに逆相信号Ｍ２ｒを用い、かつ、ステレオ出力動作においてＬ信号Ｌ１の代わりにＬ信号Ｌ２を用いＲ信号Ｒ１の代わりにＲ信号Ｒ２を用いることもできる。
【００２６】
制御部２０ｃは、制御信号Ｃに応じてマルチプレクサ２０ａ２〜２０ａ９を制御することによって、座席ごとに通知音逆相出力動作と通知音同相出力動作とを択一的に実行でき、また、座席ごとにモノラル逆相出力動作とステレオ出力動作とを択一的に実行できる。
【００２７】
図１に戻って、実行部２１は、通知音信号Ｉとステレオ信号ＳＴ１とステレオ信号ＳＴ２とを用いてスピーカ１ａ〜４ａとスピーカ１ｂ〜４ｂとを駆動する。
【００２８】
次に、通知音逆相出力動作およびモノラル逆相出力動作について説明する。以下では、説明の簡略化のため、駆動制御部２０がヘッドレスト５２ａに設けられたスピーカ２ａおよび２ｂを駆動する場合を例にして説明する。
【００２９】
通知音逆相出力動作およびモノラル逆相出力動作では、図３に示すように、スピーカ２ａから出力される音（以下「第１音」と称する）と、スピーカ２ｂから出力される音（以下「第２音」と称する）とは、逆相の関係となる。図３では、第１音が「−」で示され、第２音が「＋」で示されている。
【００３０】
第１音と第２音とが逆相の関係である場合、スピーカ２ａおよび２ｂの両方から離れた地点Ａ１では、図４に示すように、第１音と第２音は同等レベルとなり互いを打ち消し合う効果（キャンセル効果）が大きくなる。
一方、使用者の右耳の近傍の地点Ｂ１では、右耳からスピーカ２ｂまでの距離よりも、右耳からスピーカ２ａまでの距離が長い。このため、図５に示すように、距離に応じた音の減衰により第１音のレベルが第２音のレベルよりも低くなる。例えば、右耳からスピーカ２ｂまでの距離が１０ｃｍで、右耳からスピーカ２ａまでの距離が２０ｃｍである場合、第１音と第２音には６ｄＢの音圧差が生じる。よって、キャンセル効果が薄れ、右耳で第２音を聞き取りやすくなる。また、使用者の左耳の近傍では、左耳からスピーカ２ａまでの距離よりも、左耳からスピーカ２ｂまでの距離が長いため、第２音のレベルが第１音のレベルよりも低くなり、キャンセル効果が薄れ、左耳で第１音を聞き取りやすくなる。
【００３１】
図６および図７は、図８に示した状況下で、第１音と第２音が逆相の関係である場合と同相の関係である場合との音の減衰の違いを示した図である。図８に示した状況では、ヘッドレスト５２ａを使用する使用者の右耳の近傍（スピーカ２ｂから使用者の右耳の方向に１０ｃｍ離れた位置）にマイクＭＡが配置され、使用者からその背面方向に１００ｃｍ離れた位置にマイクＭＢが配置されている。
図６は、第１音と第２音が同相の関係である場合のマイクＭＢの出力からマイクＭＡの出力を差し引いた値（音圧差）を示した図である。図６では、低中域（２０〜２０００Ｈｚ）で約−２０ｄＢの音圧差（距離減衰に起因する音圧差）が発生している。この音圧差が大きいほど、マイクＭＢの位置での音の減衰（キャンセル効果）が大きいことを意味する。
図７は、第１音と第２音が逆相の関係である場合のマイクＭＢの出力からマイクＭＡの出力を差し引いた値を示した図である。図７では、低中域（４０〜２０００Ｈｚ）で、図６に示した音圧差よりも大きい約−３５ｄＢの音圧差が発生している。これは、距離減衰に加えて逆相によるキャンセル効果が効いていることに起因する。
なお、図６および図７において、高域（２０００Ｈｚよりも高周波域）で音圧差が広がっているのはスピーカの指向性に起因する。
【００３２】
このように、第１音と第２音とが逆相の関係である場合、第１音と第２音とが逆相の関係でない場合に比べて、使用者が第１音と第２音とを聞き取り可能なエリアを制限できる。よって、ある座席に配置された２つのスピーカから出力された音を、他の座席に座っている人にとって聞こえ難い音にすることができる。よって、座席ごとに異なる音楽を楽しむことが可能になる。
【００３３】
また、逆相関係である２つの音は自然界ではあまり存在しないため、使用者は、逆相関係の第１音と第２音に対して違和感を持ちやすく、逆相関係の第１音と第２音を認識しやすくなる可能性がある。よって、駆動制御部２０は、１つのヘッドレストに設けられている２つのスピーカの一方のスピーカを通知音信号Ｉで駆動し、他方のスピーカを通知音信号Ｉと逆相関係にある逆相信号Ｉｒで駆動することで、警告音等の通知音を使用者に認識されやすくすることが可能になる。
【００３４】
次に、動作について説明する。図９は、出力制御装置１００の動作を説明するためのフローチャートである。
操作部６は、使用者によって操作されると（ステップＳ１：ＹＥＳ）、その操作に応じた制御信号Ｃを出力する（ステップＳ２）。
駆動制御部２０は、制御信号受取部１９を介して制御信号Ｃを受け取ると（ステップＳ３）、制御信号Ｃに応じて、スピーカ１ａ〜４ａおよびスピーカ１ｂ〜４ｂの駆動を制御する（ステップＳ４）。
例えば、制御信号Ｃが、座席５２のスピーカ２ａおよび２ｂに関して通知音逆相出力動作を行う旨の制御信号である場合、駆動制御部２０の制御部２０ｃは、マルチプレクサ２０ａ４を制御してスピーカ２ａに逆相信号Ｉｒを供給しかつマルチプレクサ２０ａ５を制御してスピーカ２ｂに通知音信号Ｉを供給する。また、制御信号Ｃが、座席５２のスピーカ２ａおよび２ｂで通知音同相出力動作を行う旨の制御信号である場合、制御部２０ｃは、マルチプレクサ２０ａ４および２０ａ５を制御してスピーカ２ａおよび２ｂに通知音信号Ｉを供給する。
また、制御信号Ｃが、座席５１のスピーカ１ａおよび１ｂに関してステレオ信号ＳＴ１についてのモノラル逆相出力動作を行う旨の制御信号である場合、制御部２０ｃは、マルチプレクサ２０ａ２を制御してスピーカ１ａにモノラル信号Ｍ１を供給しかつマルチプレクサ２０ａ３を制御してスピーカ１ｂに逆相信号Ｍ１ｒを供給する。また、制御信号Ｃが、座席５１のスピーカ１ａおよび１ｂに関してステレオ信号ＳＴ１についてのステレオ出力動作を行う旨の制御信号である場合、制御部２０ｃは、マルチプレクサ２０ａ２を制御してスピーカ１ａにＬ信号Ｌ１を供給しかつマルチプレクサ２０ａ３を制御してスピーカ１ｂにＲ信号Ｒ１を供給する。
【００３５】
本実施形態によれば、駆動制御部２０は、制御信号Ｃに応じて、通知音逆相出力動作と通知音同相出力動作とを択一的に実行する。このため、２つのスピーカから、互いに逆位相となる音と互いに逆位相でない音とを択一的に出力できる。よって、互いに逆位相となる音信号を出力する装置の使い勝手を良くすることが可能となる。また、通知音逆相出力動作と通知音同相出力動作とを択一的に実行することで通知音を聞くことができる範囲を変更できるので、例えば、通知音を必要とする人に対して重点的に通知音を知らせる動作と、車室Ｒ内の全員に通知音を知らせる動作とを、切換え可能になる。また、通知音逆相出力動作を実行することで、警告音等の通知音を使用者に認識されやすくすることが可能になる。
【００３６】
また、駆動制御部２０は、制御信号Ｃに応じて、モノラル逆相出力動作とステレオ出力動作とを択一的に実行する。このため、音を聞くことができる範囲を制限して静粛性を重視する場合にはモノラル逆相出力動作を実行し、音質を重視する場合にはステレオ出力動作を実行することで、静粛性を重視する場合と音質を重視する場合の両方に対応可能となる。
【００３７】
＜変形例＞
以上の実施態様は多様に変形され得る。具体的な変形の態様を以下に例示する。以下の例示から任意に選択された２以上の態様は相矛盾しない限り適宜に併合され得る。
【００３８】
＜変形例１＞
制御部２０Ｃは操作部６からの制御信号Ｃのみに応じた制御をするだけではなく、他の制御装置からの制御信号により制御をしてもよい。例えば、他の制御装置が、通知音の警告重要度や音楽の種類、車両状況等に応じた制御信号を出力し、制御部２０Ｃはその制御信号によりスピーカ１ａ〜４ａおよびスピーカ１ｂ〜４ｂの駆動を制御してもよい。
【００３９】
＜変形例２＞
スピーカ１ａ〜４ａおよびスピーカ１ｂ〜４ｂは必ずしも座席に配置されている必要はなく、使用者の耳の近傍であれば、例えば車両の天井に配置されていてもよい。
【００４０】
＜変形例３＞
制御部２０ｃは、プログラムに従って動作するコンピュータではなく、論理回路等のハードウェア構成で実現されてもよい。
【００４１】
＜変形例４＞
制御信号Ｃは、複数の座席のスピーカの駆動を指定してもよい。図１０は、複数の座席のスピーカの駆動を指定する制御信号Ｃ１〜Ｃ６の例を示した図である。図１０において、「音楽１：逆相」は、図１０で「音楽１：逆相」に対応する座席の２つのスピーカに関して駆動制御部２０がステレオ信号ＳＴ１についてのモノラル逆相出力動作を実行することを示す。「音楽２：逆相」は、対応する座席の２つのスピーカに関して駆動制御部２０がステレオ信号ＳＴ２についてのモノラル逆相出力動作を実行することを示す。「通知音：逆相」は、対応する座席の２つのスピーカに関して駆動制御部２０が通知音逆相出力動作を実行することを示す。「通知音：同相」は、対応する座席の２つのスピーカに関して駆動制御部２０が通知音同相出力動作を実行することを示す。「音楽１：通常音」は、対応する座席の２つのスピーカに関して駆動制御部２０がステレオ信号ＳＴ１についてのステレオ出力動作を実行することを示す。
なお、１つの座席について２つの動作が実行される場合、例えば、座席５１について駆動制御部２０が「音楽１：逆相」と「通知音：逆相」とを実行する場合、スピーカ１ａには「音楽１：逆相」に対応するモノラル信号Ｍ１と「通知音：逆相」に対応する逆相信号Ｉｒとが供給され、スピーカ１ｂには「音楽１：逆相」に対応する逆相信号Ｍ１ｒと「通知音：逆相」に対応する通知音信号Ｉとが供給される。
このように、本変形例によれば、複数の座席のスピーカの駆動を１つの制御信号Ｃで制御でき、座席ごとに制御信号Ｃを用いて該座席のスピーカの駆動を制御する場合に比べて、スピーカの駆動の設定が容易になる。
【００４２】
＜変形例５＞
スピーカ１ａ〜４ａおよびスピーカ１ｂ〜４ｂの各々と駆動制御部２０とは、アンプを介して電気的に接続されてもよい。
【００４３】
＜変形例６＞
ステレオ信号受取部１６とモノラル変換部１７と逆相信号生成部１８とが省略されてもよい。
【００４４】
＜変形例７＞
座席５１と座席５３との間に１以上の座席が配置されてもよい。また、座席５２と座席５４との間に１以上の座席が配置されてもよい。また、座席５３と座席５４とが一体に形成されてもよい。また、座席５３と座席５４との間に１以上の座席が配置されてもよい。この場合、座席５３と座席５４との間の座席と、座席５３と、座席５４とが、一体に形成されてもよい。
【００４５】
＜実施形態および各変形例の少なくとも１つから把握される態様＞
上述した実施形態および各変形例の少なくとも１つから以下の態様が把握される。
本発明の出力制御装置の一態様は、Ｌ信号とＲ信号とを有するステレオの音信号を受け取る受取部と、前記ステレオの音信号をモノラルの音信号に変換する変換部と、前記モノラルの音信号とは逆位相の逆位相音信号を生成する生成部と、前記モノラルの音信号を用いて第１スピーカを駆動しかつ前記逆位相音信号を用いて第２スピーカを駆動する第１動作と、前記Ｌ信号と前記Ｒ信号のうちの一方を用いて前記第１スピーカを駆動しかつ前記Ｌ信号と前記Ｒ信号のうちの他方を用いて前記第２スピーカを駆動する第２動作とを、択一的に実行する駆動制御部と、を含むことを特徴とする。この態様によれば、２つのスピーカから、互いに逆位相となる音と互いに逆位相でない音とを択一的に出力できるので、互いに逆位相となる音信号を出力する装置の使い勝手を良くすることができる。また、音を聞くことができる範囲を制限して静粛性を重視する場合には第１動作を実行し、音質を重視する場合には第２動作を実行することで、静粛性を重視する場合と音質を重視する場合の両方に対応可能となる。
【００４６】
本発明の出力制御装置の他の態様は、モノラルの音信号を受け取る受取部と、前記モノラルの音信号とは逆位相の逆位相音信号を生成する生成部と、前記逆位相音信号を用いて第１スピーカを駆動しかつ前記モノラルの音信号を用いて第２スピーカを駆動する第１動作と、前記モノラルの音信号を用いて前記第１スピーカおよび前記第２スピーカを駆動する第２動作とを、択一的に実行する駆動制御部と、を含むことを特徴とする。この態様によれば、２つのスピーカから、互いに逆位相となる音と互いに逆位相でない音とを択一的に出力できるので、互いに逆位相となる音信号を出力する装置の使い勝手を良くすることができる。
【００４７】
上述した出力制御装置の一形態において、前記第１スピーカと前記第２スピーカは車室内の複数の座席に設けられており、前記駆動制御部は、前記座席ごとに、前記第１動作と前記第２動作とを択一的に実行することが望ましい。この態様によれば、座席ごとに、音を聞くことができる範囲を変更することが可能になる。
【００４８】
上述した出力制御装置の一態様において、前記駆動制御部は、音信号の出力を制御する制御信号に応じて、前記第１動作と前記第２動作とを択一的に実行することが望ましい。この態様によれば、制御信号を用いることで第１動作と第２動作とを択一的に実行することが可能になる。
【００４９】
本発明の出力制御方法の一態様は、Ｌ信号とＲ信号とを有するステレオの音信号を受け取り、前記ステレオの音信号をモノラルの音信号に変換し、前記モノラルの音信号とは逆位相の逆位相音信号を生成し、前記モノラルの音信号を用いて第１スピーカを駆動しかつ前記逆位相音信号を用いて第２スピーカを駆動する第１動作と、前記Ｌ信号と前記Ｒ信号との一方を用いて前記第１スピーカを駆動しかつ前記Ｌ信号と前記Ｒ信号との他方を用いて前記第２スピーカを駆動する第２動作とを、択一的に実行することを特徴とする。この態様によれば、２つのスピーカから、互いに逆位相となる音と互いに逆位相でない音とを択一的に出力できるので、互いに逆位相となる音信号を出力する装置の使い勝手を良くすることができる。また、音を聞くことができる範囲を制限して静粛性を重視する場合には第１動作を実行し、音質を重視する場合には第２動作を実行することで、静粛性を重視する場合と音質を重視する場合の両方に対応可能となる。
【００５０】
本発明の出力制御方法の他の態様は、モノラルの音信号を受け取り、前記モノラルの音信号とは逆位相の逆位相音信号を生成し、前記逆位相音信号を用いて第１スピーカを駆動しかつ前記モノラルの音信号を用いて第２スピーカを駆動する第１動作と、前記モノラルの音信号を用いて前記第１スピーカおよび前記第２スピーカを駆動する第２動作とを、択一的に実行することを特徴とする。この態様によれば、２つのスピーカから、互いに逆位相となる音と互いに逆位相でない音とを択一的に出力できるので、互いに逆位相となる音信号を出力する装置の使い勝手を良くすることができる。
【符号の説明】
【００５１】
１００…出力制御装置、１１…通知音信号受取部、１２…逆相信号生成部、１３，１６…ステレオ信号受取部、１４，１７…モノラル変換部、１５，１８…逆相信号生成部、１９…制御信号受取部、２０…駆動制御部。
【図１】
2018088571.tif 000003
【図２】
2018088571.tif 000004
【図３】
2018088571.tif 000005
【図４】
2018088571.tif 000006
【図５】
2018088571.tif 000007
【図６】
2018088571.tif 000008
【図７】
2018088571.tif 000009
【図８】
2018088571.tif 000010
【図９】
2018088571.tif 000011
【図１０】
2018088571.tif 000012